【事件の表示】
　平成　８年特許願第２０８４７１号「オフセット印刷機のための湿し装置」拒絶査定に対する審判事件［平成　９年　５月　６日出願公開、特開平　９−１１８００５］について、次のとおり審決する。
【結　論】
　本件審判の請求は、成り立たない。
【理　由】
１．手続きの経緯・本願発明
　本願は、平成8年8月7日の出願（優先権主張、1995年8月9日、ドイツ）であって、その請求項１乃至８に係る発明は、平成11年3月15日に提出された手続補正書によって補正された明細書および図面の記載からみて、その特許請求の範囲の請求項１乃至８に記載された次のとおりのものと認める。なお、平成11年10月29日に提出された手続補正書は本審決と同日に却下の決定がなされ確定している。
［請求項１］印刷版を有する版胴を備えたオフセット印刷機のための湿し装置であって、版胴が、インキ装置の胴入れ・胴抜き可能なインキ着けローラと、インキ装置から分離された湿し装置の胴入れ・胴抜き可能な水着けローラとに作用結合しており、湿し装置が湿し水供給装置ならびに湿し水調量装置を有している形式のものにおいて、版胴（１）に隣接する水着けローラ（５）の接触個所の前に、第１の接触個所として水元ローラ（６）と湿し水容器（８）とから形成された隣接する湿し水供給装置（１２）が配置されていてかつ前記水元ローラ（６）に湿し水調量装置（７）が配属されており、水着けローラ（５）が、版胴（１）に対して等しいまたは異なる周速度で回転可能であり、版胴（１）と水着けローラ（５）との接触個所の後ろで水着けローラ（５）に、第２の接触個所として湿し水を受容する少なくとも１つのローラ（９）が配置されていることを特徴とする、オフセット印刷機のための湿し装置。（以下、特に「本願発明１」という。）
［請求項２］湿し水を受容するローラ（９）に、湿し水を受容する別のローラ（１０）が、水着けローラ（５）と接触して後置されている、請求項１記載の湿し装置。
［請求項３］湿し水を受容するローラ（９）が、水着けローラ（５）に対して等しいまたは異なる周速度で回転する、請求項１記載の湿し装置。
［請求項４］湿し水を受容する別のローラ（１０）が、水着けローラ（５）に対して等しいまたは異なる周速度で回転する、請求項２記載の湿し装置。
［請求項５］湿し水を受容するローラ（９）と、湿し水を受容する別のローラ（１０）とが、軸方向の練りならし運動を与える横振り駆動装置に連結されている、請求項１記載の湿し装置。
［請求項６］湿し水を受容するローラ（９）が隣接するインキ装置（３）への水移しローラとして、切換え可能である、請求項１記載の湿し装置。
［請求項７］湿し水を受容するローラ（９）が、印刷運転中に、切離し位置（１３）において、隣接するインキ装置（３）との連結を解除されている、請求項１記載の湿し装置。
［請求項８］湿し水を受容するローラ（９，１０）が、クロム、高級鋼または湿し水を受容するセラミックから成る表面を有しているか、または表面に少なくとも珪素を含有している、請求項１記載の湿し水装置。
　
２．原審の拒絶理由に引用した刊行物記載の発明
［引用文献１（特開昭57-36661号公報）］
（ａ）本発明は印刷機において版胴上の版に対して湿し水を連続的に供給する連続式の給水装置に関するものである。（公報第1頁左下欄第15行〜17行）
（ｂ）これらの図において、印刷機に設けられた印刷ユニットのフレーム1には、図に矢印Ａで示す方向に回転する版胴2が軸支されており、その上方には、一対の振りローラ3がフレーム1に軸支されている。そして、それぞれの振りローラ3と版胴2との間には、一対のインキ着ローラ4が・・・設けられており、このインキ着ローラ4は、着脱機構により振りローラ3に対接したまま版胴2に対して着脱し得るように構成されている。（公報第2頁右上欄末行〜左下欄第10行）
（ｃ）このようにしてインキが供給される版胴2の側方には、親水性表面を有する移しローラ5が軸受6を介してフレーム1に軸支されており、この移しローラ5は、・・・図に矢印Ｂで示すごとく版胴2と反対方向に同周速で回転するように構成されている。（公報第2頁左下欄第14行〜右下欄第1行）
（ｄ）そして、このレバー12の遊端部には、逆Ｔ字状に形成されたローラレバー17が枢着されており、その一水平端部には、弾性表面を有し、移しローラ5と対接して図に矢印Ｃで示すごとくこれと同方向にすなわち対接する周面が反対方向へ向かう方向へ回転する水着ローラ18が軸支されている。（公報第2頁右下欄第8行〜14行）
（ｅ）さらに、ローラレバー17の垂直端部には、エアシリンダ25のロッドエンドがピン26によって枢着されており、エアシリンダ25を伸縮させることにより・・・両ローラ5，18が対接したままの状態で、水着ローラ18が版胴2に対して着脱されるように構成されている。（公報第3頁左上欄第7行〜13行）
（ｆ）そして、ローラ支軸27の軸受部27ｂには、親水性表面を有し・・・移しローラと反対方向へ回転する水元ローラ34が、水船36内の水37に浸って軸支されている。（公報第3頁右上欄第8行〜13行）
（ｇ）そこで、印刷開始後の給水動作を第5図によって説明する。水船36内に蓄えられた水37の一部は、矢印Ｄ方向へ回転する水元ローラ35により水膜41となって引き上げられ、移しローラ5との接触部へ引き入れられる。この接触部の圧は、前述したごとくローラ支軸27と調節ナット32とで調節された圧となっているので、水膜41の一部のみが両ローラ35，5間を通過して押し出され、残りは落下して水船36へ戻される。・・・移しローラ5によって運ばれた水膜42ａは、水着ローラ18との接触部に達すると、両ローラ5，18が対接周面を反対方向へ向かわせる方向に回転していることにより、大部分は水膜43となって水着ローラ18に転移され矢印Ｃ方向へ運ばれる。この場合、一般に移しローラ5の周速に比べて水着ローラ18の周速が大きいことが多く、水膜43の厚さは、両ローラ5，18の周速と接触部へ運ばれてくる水膜42ａの厚さとで決定される。そして、水膜43は、版胴2上の版面との接触点に達し、版上に残存している水膜44と合流して接触点を通過したのち２分される。（公報第3頁右下欄第6行〜第4頁左上欄第10行）
（ｈ）第5図は本発明の他の実施例を第1図に対応して示す概要側面図であって、本実施例においては、水着ローラ18の斜め上方に、ライダローラ51が周面を対接させて設けられている。そして、このライダローラ51は、親水性表面を有し、軸方向に対して往復動可能となっている。こうすることにより、版胴2上の版から水着ローラ18へ転移されたインキを軸方向へ均すことができるので、水着ローラ18への水の分布をさらに均一にすることが可能となる。なお、ライダローラ51は、その周速度を版胴2と同速で回転駆動されることが望ましい。（公報第4頁右上欄第16行〜左下欄第7行）
　
　以上の記載を対比のためにまとめると、引用文献１には次のような発明が記載されている。
ア）印刷版を有する版胴2を備えた印刷機のための湿し装置であって、振りローラ3やインキ着けローラ4等からなるインキ装置のインキ着けローラ4と、水船36、水元ローラ35、移しローラ5、水着ローラ18からなる湿し装置の水着ローラ18は、それぞれ版胴に対して着脱し得るものであり、版胴2は、インキ着けローラ4と水着ローラ18とに作用結合している。
イ）上記記載と第５図から、版胴2に隣接する水着ローラ18の接触個所の前に、第１の接触個所として隣接する移しローラ5が配置され、移しローラは水船36、水元ローラ35に連接している。移しローラ5は湿し水の調量をする。
ウ）上記（ｈ）および第５図の記載から、ローラ表面を親水性材料から形成されているライダローラ51が、版胴2と水着ローラ18との接触個所の後ろで水着ローラ18に、第２の接触位置として配置されている。
　
［引用文献６（実願昭63-97267号のマイクロフィルム）］
　水着ローラの回転数および版胴の回転数をそれぞれ検出するセンサと、これらのセンサからの信号を入力し水着ローラの周速度を版胴の周速度と同じ速度にしたり異なった速度にしたりするように切替える制御装置とを設けたことを特徴とする印刷機の給水装置（実用新案登録請求の範囲の項）
　
［引用文献７（特開平4-226352号公報）］
ア）浸漬ローラー5が湿し箱8内に浸り、計量用ローラー6が浸漬ローラー5と接触する。（公報第3頁第3欄段落番号0023）
イ）図２において、湿し用ローラー4は高速回転で事前に湿される。この目的で、これは浸漬ローラー5と接触している。（公報第3頁第4欄段落番号0027）
　
３．対比
　本願発明１を引用文献１記載の発明と対比すると、
ａ．引用文献１記載の発明の「インキ着ローラ4」、「水着ローラ18」、「水船36」「親水性材料」、「ライダローラ51」は、それぞれ本願発明１の「インキ着けローラ」、「水着けローラ」、「湿し水容器（８）」、「湿し水を受容する材料」、「第１のローラ（９）」に相当し、
ｂ．引用文献１記載の発明の「水船36及び水元ローラ35」は湿し水供給装置ということができ、「移しローラ5」は湿し水調量装置ということができ、
ｃ．引用文献１記載の発明において、インキ着ローラ4が版胴に着脱し得るということは言い換えると、「胴入れ・胴抜き可能なインキ着けローラ」ということができ、同じく水着ローラ18が版胴に着脱し得るということは言い換えると、「胴入れ・胴抜き可能な水着けローラ」ということができ、
ｄ．引用文献１記載の発明の「第１の接触個所として隣接する移しローラ5が配置され、移しローラは水船36、水元ローラ35に連接している。」と本願発明１の「第１の接触個所として水元ローラ（６）と湿し水容器（８）とから形成された隣接する湿し水供給装置（１２）が配置されていてかつ前記水元ローラ（６）に湿し水調量装置（７）が配属され」とは、「第１の接触個所として隣接する調量された湿し水を供給する装置が配置」されている点で共通し、
　以上のことから、両者間には次のような一致点、相違点がある。
（一致点）
　印刷版を有する版胴を備えた印刷機のための湿し装置であって、版胴が、インキ装置の胴入れ・胴抜き可能なインキ着けローラと、インキ装置から分離された湿し装置の胴入れ・胴抜き可能な水着けローラとに作用結合しており、湿し装置が湿し水供給装置ならびに湿し水調量装置を有している形式のものにおいて、版胴（１）に隣接する水着けローラ（５）の接触個所の前に、第１の接触個所として隣接する調量された湿し水を供給する装置が配置され、版胴（１）と水着けローラ（５）との接触個所の後ろで水着けローラ（５）に、第２の接触個所として湿し水を受容する少なくとも１つのローラ（９）が配置されていることを特徴とする、印刷機のための湿し装置。
（相違点）
（１）印刷機の形式が、本願発明１がオフセット印刷機であるのに対して、引用文献１記載の発明は印刷機の形式を特に限定していない点。
（２）第１の接触個所として調量された湿し水を水着けローラに供給する装置を配置するのに、本願発明１が「第１の接触個所として水元ローラ（６）と湿し水容器（８）とから形成された隣接する湿し水供給装置（１２）が配置されていてかつ前記水元ローラ（６）に湿し水調量装置（７）が配属され」としているのに対して、引用文献１記載の発明は「第１の接触位置として水着ローラに隣接する移しローラが配置され、移しローラは水船36、水元ローラ35に連接している」としている点。
（３）水着けローラ（５）と版胴（１）の周速度について、本願発明１が水着けローラ（５）が、版胴（１）に対して等しいまたは異なる周速度で回転可能であるとしているのに対して、引用文献１記載の発明は速度を変更できる旨の記載が無い点。
　
４．当審の判断
　相違点（１）については、印刷機としてオフセット印刷機は例を示すまでもなく周知であり、この点は当業者が容易に考えつくことができた構成の変更である。
　相違点（２）については、引用文献７の「浸漬ローラー5」、「湿し箱8」、「計量ローラー6」、「湿し用ローラー6」は、それぞれ本願発明１の「水元ローラ（６）」、「湿し水容器」、「湿し水調量装置（７）」、「水着けローラ（５）」に相当するから、引用文献７には、水着ローラとの接触個所として水元ローラ（６）と湿し水容器（８）とから形成された湿し水供給装置（１２）と、水元ローラ（６）に配属された湿し水調量装置（７）によって、調量された湿し水を水着けローラーに供給する装置が記載されている。
　そして、引用文献１記載の発明と引用文献７記載の発明は共に湿し装置の発明であり、組み合わせを阻害する要因もないから、両者を組み合わせて第１の接触個所として水元ローラ（６）と湿し水容器（８）とから形成された隣接する湿し水供給装置（１２）が配置されていてかつ前記水元ローラ（６）に湿し水調量装置（７）が配属された構成とすることは、当業者が容易考えつくことができた構成の変更である。
　相違点（３）については、引用文献６記載の発明は水着けローラを版胴に対して等しいまたは異なる周速度で回転可能とするものであり、引用文献１記載の発明と引用文献６記載の発明は共に湿し装置の発明であり、組み合わせを阻害する要因もないから、両者を組み合わせてこの相違点に関する本願発明１の構成とすることは、当業者が容易考えつくことができた構成の変更である。
　
５．むすび
　したがって、本願発明１は、引用文献１、６および７に記載された発明に基づいて当業者が容易に発明をすることができたものであり、特許法第29条第2項の規定により特許を受けることができない。
　よって、結論のとおり審決する。